(57)【特許請求の範囲】
【請求項１】
適当大きさの平面部及び左右両側面部からつづく傾斜部及び垂直部から成る本枠体の平面部中央に長孔を設け、この長孔に螺子を挿入直立せしめ、前記本枠体の左右両垂直部端から外側方に水平に延設した底面部と両垂直部との曲折部に内側方に切込み突片を交互に設け、前記本枠体の左右両垂直部の前後入口部には底面部中央に挿入口を設けるとともに上側部に少許間隔をおいて案内溝を形成した案内部材を設け、前記本枠体の内空間部に左右両側方から突出する前記各突片の先端部は、前記左右両案内部材の底面部中央に設けた挿入口の延長線上の略接する位置にあるようにし、前記本枠体の左右両垂直部間に螺子を懸架緊締するように成ることを特徴とする竪平葺屋根におけるソーラーパネル設置用基礎装置。
【発明の詳細な説明】
【技術分野】
【０００１】
本発明は、竪平葺屋根におけるソーラーパネル設置用の基礎装置に関するものである。
【背景技術】
【０００２】
近年、ソーラーパネルを屋根面に設置することが普及しているところ、本発明者は長年屋根面における雪止め取付具を開発実施して来たことに鑑み、その技術をソーラーパネルの取付け装置において応用せんとして開発するものである。
【０００３】
また、竪平葺屋根でも嵌合型と巻きはぜ型があるが、この両者に適用できる取付部材を提供せんとするものである。
【０００４】
従来公開されている屋根用の一般的な取付装置として、次に例示されるような極めて複雑な構造のものはあるし、また普及している折板屋根にあっては、屋根板の適所に穿孔し螺子や釘を用いて取付けているものもあるため、雨水の浸入という悪影響を及ぼしていたものもある。
【先行技術文献】
【特許文献】
【０００５】
【特許文献１】実開平１−８９５２３号公報
【特許文献２】実開平６−２２４３８号公報
【特許文献３】特開２００１−１４０４１６号公報
【特許文献４】特許第３８１１４１２号公報
【発明の概要】
【発明が解決しようとする課題】
【０００６】
そこで、本発明は、竪平葺屋根におけるいかなる形式の折板部分に対しても確実かつ簡易に取付けを行う部材を提供し、これによってソーラーパネルの架設部材の取付け作業を円滑に行い、強風に対して十分安定性が確保できる装置を提供することを目的とするものである。
【課題を解決するための手段】
【０００７】
本発明は、適当大きさの平面部及び左右両側面部からつづく傾斜部及び垂直部から成る本枠体の平面部中央に長孔を設け、この長孔に螺子を挿入直立せしめ、前記本枠体の左右両垂直部端から外側方に水平に延設した底面部と両垂直部との曲折部に内側方に切込み突片を交互に設け、前記本枠体の左右両垂直部の前後入口部には底面部中央に挿入口を設けるとともに上側部に少許間隔をおいて案内溝を形成した案内部材を設け、前記本枠体の内空間部に左右両側方から突出する前記各突片の先端部は、前記左右両案内部材の底面部中央に設けた挿入口の延長線上の略接する位置にあるようにし、前記本枠体の左右両垂直部間に螺子を懸架緊締するように成るものである。
【発明の効果】
【０００８】
竪平葺屋根においては嵌合型であっても巻きはぜ型であっても、屋根面に穿孔することなく確実に架設部材を取付けるようにしているから、設置作業が迅速かつ容易に行うことができるようになるとともに、施工後において雨漏りの発生のおそれはない。
【０００９】
架設部材を取付けるための雌雄螺子の位置は常に本枠体の中心部にあるようにしているから、強風に対しても十分安定性を発揮することができる。
【図面の簡単な説明】
【００１０】
【図１】全体の正斜視図
【図２】全体の左側面図
【図３】全体の一使用例の正面図
【図４】全体の他使用例の正面図
【図５】図２Ａ−Ａ線の正断面図
【図６】全体の平面図
【図７】全体の底面図
【図８】一施工状態を示した斜視図
【発明を実施するための形態】
【００１１】
いま竪平屋根の折板部の一部に本部材を取付けるときは、はぜ型にあっても嵌合型にあっても、図３又は図４及び図７に示すように、折板部分を本枠体の左右両垂直部の前後入口部の外側に設置した両案内部材の両挿入口に向って挿入しようとすると、その内空間部に突出して臨設する各突片の先端部が接触するようにして嵌合するようになる。
【実施例】
【００１２】
１は適当大きさに成る平面部２及び左右両側面部３，３が冂形に成りかつ左右両側面部から傾斜部４，４を経て垂直部５，５を形成して成る本枠体で、この本枠体の平面部中央には長孔６を設け、この長孔には雄螺子７を挿入直立して雌螺子８を螺合する。
【００１３】
９，９は前記本枠体１の左右垂直部５，５間に間隔をおいて懸架する雄螺子で、この雄螺子の外端部には雌螺子１０，１０を螺合する。
【００１４】
１１，１１は前記本枠体１の左右両垂直部５，５の下端から外側方に水平に曲折延設した底面部で、この水平底面部の前後両端部１２，１２，１２，１２はやや上向き状に曲折するように成る。
【００１５】
１３，１３，１３，１３’，１３’は前記本枠体１の左右両垂直部５，５と水平底面部１１，１１との曲折部に、一側部には３個，他側部には２個を交互間隔をおいて内側方向に切込み突設した突片で、この突片は前記本枠体１の左右両垂直部５，５の内空間部１４に突設する。
【００１６】
１５，１５は前記本枠体１の左右両垂直部５，５の前後入口部の外側に設ける案内部材で、この案内部材の底面部中央には挿入口１６，１６を設けるとともに案内部材の上端部には相互に内方中央に斜設して少許間隔の案内溝１７，１７を形成する。
【００１７】
前記本枠体１の左右垂直部５，５と底面部１１との両曲折部から内空間部１４に突設した一方の突片１３，１３，１３と他方の突片１３’，１３’の先端部は、前記左右案内部材１５，１５の底面部中央に設けた挿入口１６，１６の延長線上に略一致する位置にあるから、本部材を竪平葺屋根板ｃの巻きはぜ型ａに取付ける際には図３に示した状態のように、また嵌合型ｂに取付ける際には図４に示した状態のようになり、いずれの場合にあっても竪平葺屋根における取付けを行った後に、この本枠体にソーラーパネル用の架設部材Ａ，Ｂの所定位置にある通孔に前記雄螺子７及び雌螺子８を連結して緊締し取付けるようにする。
【００１８】
前記本枠体１の内空間部１４に左右両側方から突設する前記各突片１３，１３，１３，１３’，１３’の先端部は、前記左右両案内部材１５，１５の底面部中央に設けた挿入口１６，１６の延長線上の略接する位置にあるから、このような状態において竪平屋根の折板部を挿入して直立せしめる。（図７参照）
【符号の説明】
【００１９】
１                                  本枠体
２                                  平面部
３，３                              左右両側面部
４，４                              傾斜部
５，５                              垂直部
６                                  長孔
７                                  雄螺子
８                                  雌螺子
９，９                              雄螺子
１０，１０                          雌螺子
１１，１１                          底面部
１２，１２，１２，１２              前後両端部
１３，１３，１３，１３’，１３’    突片
１４                                内空間部
１５，１５                          案内部材
１６，１６                          挿入口
１７，１７                          案内溝
【図１】
0005686589.tif 000002
【図２】
0005686589.tif 000003
【図３】
0005686589.tif 000004
【図４】
0005686589.tif 000005
【図５】
0005686589.tif 000006
【図６】
0005686589.tif 000007
【図７】
0005686589.tif 000008
【図８】
0005686589.tif 000009